Podtech/llm-jp-corpus-v4-ja_patent huggingface dataset:
(57)【要約】【課題】  ノーメイク状態でもこの眼鏡をかけるだけで、従来のメイクアップを上回る美容効果を得ることができるまつげ付き眼鏡を提供する。【解決手段】  眼鏡のフレーム部あるいはレンズ部につけまつげを設置したまつげ付き眼鏡。【選択図】図１
2011081328.tif 000002
【特許請求の範囲】
【請求項１】
眼鏡のフレーム部及びレンズにつけまつげを施したまつげ付き眼鏡。
【発明の詳細な説明】
【技術分野】
【０００１】  本発明は眼鏡のフレーム部あるいはレンズ部につけまつげを設置したまつげ付き眼鏡に関するものである。
【技術背景】
【０００２】  従来、眼鏡につけまつげを施したものはなかった。
パーティーグッズで付け鼻や付け眉毛を施したものはあったが、本格的なメイクアップのための物ではなかった。
【発明の開示】
【発明が解決しようとする課題】
【０００３】  目の周辺のメイクは  影をつける、マスカラ或いはまつげエクステンション等でまつげを伸ばす、という手段にとどまり、変化に限界があった。
また、肌荒れ等でメイクができない時などは為す術が無かった。
【問題を解決するための手段】
【０００４】  眼鏡のフレーム部あるいはレンズ部につけまつげを設置したまつげ付き眼鏡。
【発明の効果】
【０００５】  本発明はノーメイク状態でもこの眼鏡をかけるだけで、メイクアップに匹敵する美容効果を得ることができる。また、眼鏡のフレーム部まで目として見せることができるため、マスカラやまつげエクステンションの効果を遥かに上回る、目を大きく見せるという美容効果が得られる。
なぜ、この発明でメイクアップ効果が得られるのかというと、その原理は、人の脳の性質に由来する。
人の脳は、眼鏡、まつげ、のように日ごろよく目にするありふれた顔の構成物があるとそれを顔の一部と錯覚してしまう性質がある。
まつげと眼鏡の正常な位置関係は体に近いほうから  まつげ、めがね、の順だが本発明においては  眼鏡、まつげ、と逆の順序となる。しかし、これが不思議なことに違和感なく受け入れられてしまう。これこそが人の脳の性質、部品が揃っていれば配置の順序が違っていても頭の中でそれを正常な順序に入れ替え、顔と認識してしまうのである。
さらには、既存のメイクアップを施した上にこの眼鏡をかけたり外したりすることで複数のメイクアップのバリエーションを得ることができる。
【発明を実施するための最良の手段】
【０００６】  以下、本発明の実施の形態を説明する。
（イ）眼鏡のフレーム部（１）のみの場合は、レンズがはまる部位の上部に上つけまつげ（２）、下部に下つけまつげ（３）を設ける。
（ロ）レンズ（４）も入っている場合は、レンズ（４）の最上部に上つけまつげ（２）、最下部に下つけまつげ（３）を設ける。
本発明は、以上の構成よりなっている。
この発明を使用する時は、普通に眼鏡をかけるのと同じように使用する。
【図面の簡単な説明】
【０００７】
【図１】本発明の斜視図
【図２】本発明の斜視図
【図３】本発明の分解斜視図
【符号の簡単な説明】
【０００８】  １  フレーム部
２  上つけまつげ
３  下つけまつげ
４  レンズ
【図１】
2011081328.tif 000003
【図２】
2011081328.tif 000004
【図３】
2011081328.tif 000005
(57)【要約】【課題】短時間で殺菌もでき、少量添加でも日持ち向上効果を有する、安価なアルコール製剤充填容器を提供すること。【解決手段】容器にエタノールを５５．００〜６０．００質量％、グリセリン脂肪酸エステルを０．１０〜０．１５質量％、茶抽出物製剤を０．０２〜０．０３質量％、精製水３９．８２〜４４．８８質量％のエタノール製剤を充填する。なお、この充填されたアルコール製剤に含まれている茶抽出物製剤は、茶抽出物、クエン酸、澱粉分解物からなる。【選択図】図１
2011120568.tif 000002
【特許請求の範囲】
【請求項１】
エタノール５５．００〜６０．００質量％、グリセリン脂肪酸エステル０．１０〜０．１５質量％、茶抽出物製剤０．０２〜０．０３質量％、精製水３９．８２〜４４．８８質量％のエタノール溶液を充填した、アルコール製剤充填容器。
【請求項２】
前記茶抽出物製剤が、茶抽出物、クエン酸、澱粉分解物からなる請求項１記載のアルコール製剤充填容器。
【発明の詳細な説明】
【技術分野】
【０００１】
本考案は、食品の日持ち向上効果を有するアルコール製剤を充填した容器に関するものである。
【背景技術】
【０００２】
従来から様々なアルコール製剤があり、アルコールの他に様々な物質を添加していた。
【０００３】
たとえば特許文献１では竹及び／又は竹茹から水系溶媒で抽出された成分を添加している。
【先行技術文献】
【特許文献】
【０００４】
【特許文献１】特開２００２−１７２４８号公報
【発明の概要】
【発明が解決しようとする課題】
【０００５】
ところが、日持ち効果を向上させるためにアルコール製剤に添加剤を使用していたが、その添加剤が高価なため、その価格を抑えようとして添加剤を減らした結果、食品に添加するアルコール製剤の量が多くなったりすることがあった。
【０００６】
本考案の目的は、少量でも日持ち向上効果を有するアルコール製剤充填容器を提供することにある。
【課題を解決するための手段】
【０００７】
本考案の容器は、エタノールを５５．００〜６０．００％、グリセリン脂肪酸エステルを０．１０〜０．１５％、茶抽出物製剤を０．０２〜０．０３％、精製水を３９．８２〜４４．８８％のアルコール製剤を充填したものである。
【０００８】
なお、前記茶抽出物製剤は茶抽出物、クエン酸、澱粉分解物からなる。
【発明の効果】
【０００９】
本考案のアルコール製剤容器を使うことによって、少量でも食品の日持ちを向上させることができる。
【図面の簡単な説明】
【００１０】
【図１】本考案の一実施例であるアルコール製剤充填容器のポリタンクを側方から見た断面図である。
【図２】本考案のもう一つの実施例で、アルコール製剤充填容器のスプレーボトルを側方から見た断面図である。
【図３】本考案のさらにもう一つの実施例で、アルコール製剤充填容器の一斗缶の斜視図である。
【発明を実施するための形態】
【００１１】
以下、本考案の実施例を図面に基づいて詳細に説明する。図１は、本考案の実施例である容器１を側方から見た断面図である。
【実施例１】
【００１２】
図１に示すように、容器のポリタンク１にエタノール５８．０００質量％、グリセリン脂肪酸エステル０．１２５質量％、茶抽出物製剤０．０２５質量％、精製水４１．８５０質量％のアルコール製剤２が４Ｌ充填されている。食品に対して添加、浸漬することにより、その食品の保存性を高めることができる。
【実施例２】
【００１３】
もう一つの実施例である図２では、容器をスプレー３とし、その中に実施例１と同組成のアルコール製剤４が５００ｍｌ充填されている。トリガー５を引くことによって充填されたアルコール製剤ミストを噴霧する。実施例１では特定質量を対象物に添加、浸漬する時に便利だが、スプレーに入れることによって、食品の外側に噴霧するときに便利である。
【実施例３】
【００１４】
さらにもう一つの実施例である図３では、容器を一斗缶６とし、その中に実施例１と同組成のアルコール製剤７が５００ｍｌ充填されている。大量に使用するときや、コストを下げるのに使用される。
【実施例４】
【００１５】
本実施例１のアルコール製剤２を用いて、除菌力のテストを行った。１ｍｌのアルコール製剤２に、１０８ｃｆｕ／ｍｌに調整した大腸菌（Ｅｓｃｈｅｒｉｃｈｉａ  ｃｏｌｉ）懸濁液若しくは黄色ブドウ球菌（Ｓ．ａｕｒｅｕｓ）懸濁液を１０μｌ加えて撹拌し、菌入りアルコール製剤を調整した。この菌入りアルコール製剤から白金耳で１μｌを採取して、標準寒天培地のプレートに塗抹し、３５℃で２日間培養した。この作業の中の各種菌懸濁液をアルコール製剤に加えてから１μｌ採取するまでの時間を１５、３０、６０秒に分けた。その結果、大腸菌若しくは黄色ブドウ球菌でも、１５〜６０秒の各時間に採取した全てのシャーレで生菌コロニーを確認できなかった。
【実施例５】
【００１６】
本実施例１のアルコール製剤２を用いて、２０℃保存のカスタードクリームにおける一般生菌の増殖抑制効果を確認した。市販の粉末カスタードクリームと牛乳と混ぜてカスタードクリームを作製し、エタノール濃度が２％となるようにアルコール製剤２を添加し、添加カスタードクリーム１を調製した。またエタノール濃度２％になるようにエタノールのみをカスタードクリームに添加し、添加カスタードクリーム２を調製した。これら添加カスタードクリーム１および２に加え、アルコール製剤無添加のカスタードクリームの３種類を２０℃で９日目まで保存し、経時的に一般生菌数を測定した。
【００１７】
無添加のカスタードクリームは、喫食可能の目安である一般生菌数１０５ｃｆｕ／ｇを４日目で越え、９日目には５．８×１０８ｃｆｕ／ｇとなった。添加カスタードクリーム２および１の９日目での一般生菌数はそれぞれ１．８×１０４ｃｆｕ／ｇ、１．７×１０３ｃｆｕ／ｇとなり、アルコール製剤２を添加したものが最も菌の増殖を抑制した。
【実施例６】
【００１８】
本実施例１のアルコール製剤２を用いて、３０℃保存のカスタードクリームにおける一般生菌の増殖抑制効果を確認した。実施例５同様に、無添加カスタードクリーム、添加カスタードクリーム１および２を調製し、３０℃で４日目まで保存して一般生菌数を測定した。
【００１９】
無添加のカスタードクリームは２日目に１０５ｃｆｕ／ｇを越え、４．０×１０８ｃｆｕ／ｇとなった。添加カスタードクリーム２および１の４日目での一般生菌数はそれぞれ７．０×１０７ｃｆｕ／ｇ、１．４×１０３ｃｆｕ／ｇとなり、アルコール製剤２を添加したものが最も菌の増殖を抑制した。
【００２０】
本考案は前記各実施例に限定されるものではなく、その要旨を逸脱しない範囲で種々変更可能であることは言うまでもない。
例えば容器の形状は図１に限らず、また収容できるアルコール製剤の量も本実施例に限らない。
【符号の説明】
【００２１】
１    ポリタンク
２    アルコール製剤
３    スプレー
４    アルコール製剤
５    トリガー
６    一斗缶
７    アルコール製剤
【図１】
2011120568.tif 000003
【図２】
2011120568.tif 000004
【図３】
2011120568.tif 000005
(57)【要約】      （修正有）【課題】乾燥肉に、野菜を付着し乾燥したベジタブルジャーキーを提供する。【解決手段】薄切りの肉をつけ汁に漬け込んだ後に、生乾燥し、表面に野菜ペーストを塗り、焼き板に乗せ、上からさらに焼き板で挟み、圧力を加えながら２分間１２０度の温度で加熱した後、焼き板より取りだし、乾燥する。薄切りの乾燥肉の片面又は両面もしくは、薄切りの乾燥肉の両面に、ペースト状の野菜を付着し乾燥させることもできる。得られたベジタブルジャーキーは、味、栄養バランスが良好で、長期保存が可能となり、開封するだけで手軽に食することができる。【選択図】なし【特許請求の範囲】
【請求項１】
薄切りの乾燥肉の片面に、ペースト状の野菜を付着し乾燥させたもの。
【請求項２】
薄切りの乾燥肉の両面に、ペースト状の野菜を付着し乾燥させたもの。
【請求項３】
二枚の薄切り乾燥肉で、ペースト状の野菜を付着し乾燥させたものを挟んだもの。
【発明の詳細な説明】
【技術分野】
【０００１】本発明は、肉も野菜も乾燥しますので長期保存ができ、肉と野菜が同時に摂取できる食品加工技術です。
【背景技術】
【０００２】現存するジャーキー類、干肉及び乾燥肉は、つけ汁等で味を整え、保存方法として熱処理と乾燥で製品化されているが、本発明は、栄養バランスも整えられる。
【発明の開示】
【発明が解決しようとする課題】
【０００３】海外よりの冷凍輸入の牛、豚のもも部等と鶏、羊、山羊、駝鳥等の安価肉も、つけ汁と野菜ペーストの味つけ次第で製品の味が整えやすく、尚長期間保存がきき野菜の栄養も同時に摂取できる。
【発明を解決するための手段】
【０００４】肉を２ミリから３ミリの薄切りにし、つけ汁に５時間から８時間漬け置き、その後、つけ汁より取り出し、肉が生乾しの状態で野菜ペーストを塗り、焼き板に乗せ、上からも焼き板で野菜ペーストの塗られた肉を挟み、２分間程１２０度の温度で加熱した後に常温乾燥をして完成します。
【発明の結果】
【０００５】安価な肉が、つけ汁と野菜ペーストの味つけにより食べやすくなり、肉の栄養素と野菜の栄養素が同時に摂取でき、尚重量も乾燥してありますので軽く、長期間の保存が可能ですので携帯食糧としても適し、また災害時の緊急食料としても適している食料を、安価に提供できます。
【発明を実施するための最良の形態】
【０００６】肉を、肉の持つ繊維に対し斜めの角度で２ミリメートルから３ミリメートルの厚さに切り、つけ汁に５時間から８時間漬け置いた後、取り出し、生乾しの状態まで水分を取り除き、別に作られている野菜ペーストを生乾き状態の肉に塗り、焼き板に乗せ、上からも焼き板で挟み込み、２分間１２０度の温度で加熱した後、取り出し乾燥機にかけて完成品とします。
【実施例】
【０００７】牛もも肉例…肉の繊維に対し斜めの角度で約３ミリメートルの厚さの薄切り状態の肉を支            度する。
肉の繊維に対し、沿って切ると、完成品が固くなります。
肉の繊維に対し９０度前後の角度で切ると、完成品が割れたり、折れたり、            崩れやすくなります。
上記薄切り肉をつけ汁（通常ソミュール液と称します）に５時間程漬け込み            、後に取り出し、冷暗所で生乾し状態まで水分を取り、別に作ってあった野            菜ペーストを塗り、焼き板に乗せ、上からの焼き板で挟み、圧力を加えなが            ら２分間１２０度の温度で加熱した後、焼き板より取りだし、乾燥機にかけ            、完成です。
二枚の焼き板で挟む圧力、２分間とした時間、１２０度とした温度は、肉の種類や素材で、僅かな変化をします。
つけ汁と野菜ペーストは、肉の種類素材とユーザー対象の国家、文化により味が異なります。
【産業上の利用可能性】
【０００８】肉を切るスライサー機、つけ汁に漬け込む器、野菜ペーストを作る為の通常の厨房器具、熱処理用焼き板、温度設定の出来る乾燥機、真空パック梱包機等の設備で産業化は容易に出来ます。
(57)【要約】      （修正有）【課題】口にくわえたり、吸った感触が、実際のたばこの様な感覚にする【解決手段】手・指や歯・唇にあたる部分３にクッション性を持たせる。【選択図】図２
2011120567.tif 000002
【特許請求の範囲】
【請求項１】
手・指のあたる▲２▼の部分は、ザラついた材料の物。
唇・歯のあたる▲３▼の部分は、クッション性のあるゴム等の材料。
吸う穴は、針の穴程に小さい。
【発明の詳細な説明】
【技術分野】
【０００１】この発明は、たばこの感触に似せたパイプである。
【背景技術】
【０００２】従来のパイプは、プラスティックそのままであった。
【発明の開示】
【発明が解決しようとする課題】
【０００３】これは次の様な欠点があった。口に入れた感触が、潜在的に拒否的となり、長続きして使用しなくなる
【課題を解決する為の手段】
【０００４】手・指や歯・唇にあたる部分に、たばこの様にクッション性を持たせる
【発明の効果】
【０００５】実際のたばこを持ったり、くわえたりしている様な感覚になる
【発明を実施するための最良の形態】
【０００６】▲５▼の吸口部分に▲３▼のクッション・手に持つ部分▲２▼にザラついた材料
【図面の簡単な説明】
【０００７】
【図１】▲１▼は正面図・平面図・側面図
【図２】は断面図
【符号の説明】
【０００８】▲１▼針の様な小さな穴
▲２▼ザラついた紙等
▲３▼ゴム等のクッション
▲４▼詰め物の入る空間
▲５▼プラスティックパイプ本体
【図１】
2011120567.tif 000003
【図２】
2011120567.tif 000004
(57)【要約】【課題】主に室内において、従来のプランターは水受け皿の上にプランターを置いて使用されていた。狭いスペースに、水受け皿を使用したプランターを置く時に水受け皿の大きさによって設置スペースが決定されるため、プランター本体より広いスペースが必要であった。【解決手段】プランターの水受け皿をプランター底、下部内部に収納することによりプランター本体の大きさのスペースでプランターを設置することができる。【選択図】図１
2011120563.tif 000002
【特許請求の範囲】
【請求項１】
プランター底、下部内部に収納できる水受け皿を特徴とするプランター。
【発明の詳細な説明】
【技術分野】
【０００１】プランターと水受け皿ついての発明である。
【背景技術】
【０００２】プランターの水受け皿の上にプランターを置いて使用するのが一般的なプランターであるが、プランター本体の大きさより広くスペースを必要とする問題があった。
このプランターは水受け皿をプランターの下部内部に置くものであり、最小限のスペースでプランターを設置することができる。
【発明の概要】
【発明が解決しようとする課題】プランター底、下部内部に収納できる水受け皿が必要になる。【０００３】本発明はプランター底、下部内部に水受け皿が収納できるプランターである。
【課題を解決するための手段】
【０００４】プランター底、の下部内部スペースに収納できる水受け皿を、特徴とするプランター。
【発明の効果】
【０００５】プランターの設置スペースが必要最小限ですむ。
【図面の簡単な説明】
【０００６】
【図１】本発明であるプランターの断面図
【発明を実施するための形態】
【０００７】プランター本体▲１▼とプランター底、下部内部の水受け皿収納スペース▲２▼に収納できる水受け皿▲３▼
【産業上の利用可能性】
【０００８】狭いスペースにプランターを置く時や、水受け皿を見せたくない時に有効である。
【符号の説明】
【０００９】▲１▼・・・プランター本体
▲２▼・・・水受け収納スペース
▲３▼・・・水受け皿
【図１】
2011120563.tif 000003
(57)【要約】【課題】  バッテリーの電圧が定格電圧よりも下がった場合でも、応急走行を可能とする電動車を提供する。【解決手段】  バッテリーの電圧が定格電圧よりも下がった場合にでも、運転者が低出力モーターによる前輪駆動を選択した場合には、走行スピードはより低くなるが取り出し電力が増えることで応急走行を可能とする。  一般的にバッテリーは大電力を取り出すときよりも、低電力を取り出すときの方が、取り出し電力が増える特性を有する。このため、低出力モーターに切り替えると、走行スピードはより低くなるが、走行距離が増えることが期待できる。【選択図】    なし【特許請求の範囲】
【請求項１】
高出力モーターにより後輪を駆動し、低出力モーターにより前輪を駆動する電動車において、運転者の手動操作により後輪駆動と前輪駆動を選択可能であって、前輪駆動により応急走行が可能としたことを特徴とする電動車
【請求項２】
低出力モーターの出力が、高出力モーターの出力の４０％以上７０％以下であることを特徴とする請求項１に記載の電動車
【請求項３】
低出力モーターの定格電圧が、高出力モーターの定格電圧の５０％であることを特徴とする請求項１または請求項２に記載の電動車
【発明の詳細な説明】
【技術分野】
【０００１】
この発明は、電動モーターで前輪と後輪を駆動し走行する電動車に関するものである。
【背景技術】
【０００２】
現在では、電動モーターを補助的に利用する電動アシスト自転車が広く知られており、後輪を人力で前輪を電動モーターで駆動する方法が提案されている。
【特許文献１】特開平２００２−１２１８０公報
【発明の開示】
【発明が解決しようとする課題】
【０００３】
これら電動車の電源として使用するバッテリーの電圧は、常に定格値どおりの一定値ではなく、満充電時には定格電圧よりも高い電圧を示し、放電が進んだ状態では定格電圧よりも電圧が下がる特性を有している。このため、バッテリーの電圧が定格電圧よりも下がった場合には、モーターを駆動することができないという問題点があった。
【０００４】
この発明は、上記のような従来技術に存在する問題点に着目してなされたものである。その目的とするところは、バッテリーの電圧が定格電圧よりも下がった場合にでも、運転者がモーターを選択することで応急的に走行できる電動車を提供することにある。
【課題を解決するための手段】
【０００５】
上記の目的を達成するために、請求項１および請求項２に記載の本発明の電動車は、高出力モーターにより後輪を駆動し、低出力モーターにより前輪を駆動する電動車において、運転者の手動操作により低出力モーターによる前輪駆動を選択することにより、低出力モーターによる応急走行を可能としたことを特徴とする電動車である。
【０００６】
低出力モーターの出力は、高出力モーターの出力よりも少ないため、運転者が低出力モーターによる前輪駆動を選択した場合には、バッテリーが供給する電力が少なくなる。一般的にバッテリーは大電力を取り出すときよりも、低電力を取り出すときの方が、取り出し電力が増える特性を有する。このため、低出力モーター選択時は、走行スピードはより低くなるが、走行距離がより増えることが期待できる。
【０００７】
請求項３に記載の本発明の電動車は、運転者の手動操作により後輪駆動と前輪駆動を選択可能な電動車において、後輪駆動用の高出力モーターの５０％の定格電圧を有する低出力モーターにより前輪を駆動することを特徴とする電動車である。
具体的には、電源であるバッテリーをあらかじめ二組の直列接続とし、高出力モーター使用時には二組のバッテリーを直列接続した電源から電力を供給する。運転者の手動操作により低出力モーターによる前輪駆動を選択した場合には、二組のバッテリーを並列接続した電源から電力を供給されるように電源回路を設定する。上記のように、定格電圧を５０％とすることで、電源の回路を簡略化できるメリットがある。
【発明の効果】
【０００８】
本発明の電動車は、バッテリーの電圧が定格電圧よりも下がった場合にでも、運転者が低出力モーターを選択することにより応急走行を可能とするものである。
【発明を実施するための最良の形態】
【０００９】
以下に、この発明を具体化した一実施形態に基づいて詳細に説明する。
実施にあたっては、後輪に内蔵される電動モーターで駆動する方式の市販電動車を改造して本実施例を行った。
座席下部に設置された  定格４８Ｖ  １２Ａｈの  鉛バッテリー、ハンドルに内蔵されたアクセルスイッチおよび電源制御回路は、市販電動車に既設の設備をそのまま流用した。
【実施例１】
【００１０】
定格３５０Ｗ  ４８Ｖの  電動モーターを内蔵する車輪を後輪に、
さらに定格２００Ｗ  ３６Ｖの  電動モーターを内蔵する車輪を前輪に、
ハンドルの手元には電源を後輪と前輪とに振り分けるスイッチを設け運転者の手動操作により後輪駆動と前輪駆動を選択可能な電動車とした。
バッテリーを満充電した後、平地を時速３５ｋｍで連続走行した場合には、高出力モーターのみで３５ｋｍ走行した時点でモーターが動かなくなった。
そこで前輪駆動を選択したところ、低出力モーターでさらに１０ｋｍ走行することが可能であった。
【００１１】
本発明は以下に示すように変更して実施することも可能である。
・バッテリーをニッケル水素電池、リチウムイオン電池、鉛蓄電池から選ばれるものの一つに変更すること
・モーターを車輪内に内蔵せず、ギアを介して駆動することで登坂性能を高めること
・電動二輪車において、低出力モーターによる前輪駆動をさらに補助するために、後輪を人力で駆動する機構を設けること
・応急走行可能な距離を推算し表示する装置を設けること
【産業上の利用可能性】
【００１２】
バッテリーの電圧が定格電圧よりも下がった場合にでも、運転者が低出力モーターによる前輪駆動を選択した場合には、走行スピードはより低くなるが取り出し電力が増えることで応急走行を可能とするものである。
(57)【要約】【課題】  不特定多数の者が出入り使用する病院、オフィスビル等の建造物のトイレのペーパーホルダーは、使用する者の手が個々に触れていることになり不衛生である。  本発明は、ペーパーホルダーに触れることもなく、片手でトイレットペーパーの送り出し、切断を行うことのできる、送り出しトイレットペーパーホルダーを提供する。【解決手段】  ペーパーホルダー蓋部のほぼ中央に長穴を設け、蓋部先端にカッター部と重り部を設けたことを特徴とする送り出しトイレットペーパーホルダーである。【選択図】図１
2011120849.tif 000002
【特許請求の範囲】
【請求項１】
ペーパーホルダー蓋部のほぼ中央に長穴を設け、蓋部先端にカッター部と重り部を設けたことを特徴とする、送り出しトイレットペーパーホルダー。
【発明の詳細な説明】
【技術分野】
【０００１】  本発明は器具には、全く触れることなく、ペーパーを取り出し、切り離せることを特徴とする、トイレットペーパーホルダーに関するものである。
【背景技術】
【０００２】  １軒に１カ所は必要とする、トイレの問題である。
トイレを見れば、その家が分かる、とまで言われるほどに大事であり、かつ衛生面に気を使う所でもある。
従来、ペーパーホルダーは、多種あるが、衛生面に問題点があった。
このペーパーホルダーには何人もの手が触れていると言う欠点である。【０００３】  近年では住宅環境も変わり、トイレそのものも洋式と変化している。
衛生面では、万全なものと見えるが、ペーパーホルダーに関しては、衛生面が欠けていた。【０００４】  従来のペーパーホルダーは、ペーパーを取り出し、切り離す際ホルダーの一部に手を添えなければならなかった。
【発明の概要】
【発明が解決しようとする課題】
【０００４】  そのため、次のような問題点があった。
たとえば、不特定多数の人が出入り使用する病院、オフィスビル等の建造物のトイレは、使用する人の手が個々に触れていることになり不衛生であった。
本発明は以上の問題を解決しようとするものであった。
【課題を解決するための手段】
【０００４】  ペーパーホルダー蓋部のほぼ中央に長穴を設け、蓋部先端にカッター部と重り部を設ける。
以上のように構成された、送り出しトイレットペーパーホルダーである。
【発明の効果】
【０００５】  病院、オフィスビル等不特定多数の人が使用する建造物のトイレは、何かと気になるものである。
本発明は、器具に全く触れることなく使用出来るようになり、清潔である。
【図面の簡単な説明】
【０００６】
【図１】  本発明の斜視図である。
【図２】  本発明の図１のＡ−Ａ断面図である。
【図３】  本発明の蓋部の裏側を示した斜視図である。
【図４】  本発明の使用状態を示した斜視図である。
【発明を実施するための形態】
【０００７】  以下、本発明の実施の形態について説明する。
（イ）ペーパーホルダー（３）蓋部（１）のほぼ中央付近に、指が通る程の幅を有する長    穴（２）を設ける。
（ロ）蓋部先端、長手方向に向かってカッター部（４）、重り部（５）を設ける。
このとき、重り部（５）はカッター部（４）よりもペーパーホルダー（３）内側に    設ける。
（ハ）カッター部（４）の取り付け位置は、蓋部（１）が閉まっているときは、トイレッ    トペーパーに接する状態となる蓋部内側に設ける。
本発明は以上のような構造である。
【０００８】  本発明を使用するときは、壁面にペーパーホルダー（１）を固定し、蓋部（１）に設けた長穴（２）に指を挿入し、トイレットペーパーを回転させ、蓋部（１）先端にでたトイレットペーパーを摘み、必要に応じた長さまで引き出し上方に引き上げ、蓋部（１）先端に設けてあるカッター部（４）によってトイレットペーパーを切り離し使用する。
このとき、蓋部裏面に重り部（５）を設けているため、トイレットペーパーの取出しから、切断するまでに、一連の動作を片手で行うことができる。
【符号の説明】
【０００９】    １    蓋部
２    長穴
３    ペーパーホルダー
４    カッター部
５    重り部
【図１】
2011120849.tif 000003
【図２】
2011120849.tif 000004
【図３】
2011120849.tif 000005
【図４】
2011120849.tif 000006
(57)【要約】【課題】靴ひもがほどけにくいようにする、靴ひもほどけ防止靴を提供する。【解決手段】結んだ靴ひもがほどけないようにマジックテープ（商標登録）を付けて、結んだひもを丸めてはさむようにした靴。【選択図】図５
2011120861.tif 000002
【特許請求の範囲】
【請求項１】
結んだ靴のひもがほどけないようにマジックテープ（商標登録）を付けて、結んだひもを丸めてはさむようにした靴。
【発明の詳細な説明】
【技術分野】
【０００１】本発明は結んだ靴のひもがほどけないようにすることに関するものである。
【背景技術】
【０００２】従来の結んだ靴ひもは激しい運動等によりほどけることがあった。
【発明の開示】
【発明を解決しようとする課題】
【０００３】以上述べたように靴のひもを、靴に付けたマジックテープ（商標登録）ではさんで丸めることで欠点を解決しようとするものである。
【課題を解決するための手段】
【０００４】靴にマジックテープ（商標登録）を付けて結んだひもがほどけにくくしたものである。
【発明の効果】
【０００５】子供の靴や激しい運動をしても靴のひもがほどけにくくなり、安心して運動ができ安全である。
【発明を実施するための最良の形態】
【０００６】以下発明の形態を説明する、靴１の表面の中央手前の部分に平面が凸底面が凹のマジックテープ（商標登録）３を付ける。図４
【実施例】
【０００７】靴のひも２を結び、結びめのところをマジックテープ（商標登録）３を丸めてはさむ。図５
【図面の簡単な説明】
【０００８】
【図１】靴に付ける前のマジックテープ（商標登録）の平面図である。
【図２】靴に付ける前のマジックテープ（商標登録）の底面図である。
【図３】靴に付ける前のマジックテープ（商標登録）の右側面図である。
【図４】靴のひもを結ぶ前の本発明の平面図である。
【図５】靴のひもを結んだ後の本発明の実施平面図である。
【符号の説明】
【０００９】１  靴
２  靴ひも
３  マジックテープ（商標登録）
Ａ  マジックテープ（商標登録）の凸
Ｂ  マジックテープ（商標登録）の凹
【図１】
2011120861.tif 000003
【図２】
2011120861.tif 000004
【図３】
2011120861.tif 000005
【図４】
2011120861.tif 000006
【図５】
2011120861.tif 000007
(57)【要約】【課題】階段を安全に降段できる靴の提供。【解決手段】靴の全長の20％から35％の長さに相当する靴先のアッパー部分の全部又は一部を、蛍光色にて塗色し、更に、前記蛍光色としたアッパー部分において、靴先から25％から30％の間の部分にて、全長方向と略垂直な方向に、前記蛍光色とは別色で塗色した略帯状部分を構成することを特徴とするものである。【選択図】 図１
2011120831.tif 000002
【特許請求の範囲】
【請求項１】
階段を安全に降段できる靴であり、
前記靴の全長の20％から35％の長さに相当する靴先端のアッパー部分の全部又は一部を、蛍光色にて塗色し又は蛍光色の材若しくは蓄光材にて構成し、
更に、前記蛍光色等とした靴先端のアッパー部分において、靴先端から靴の全長の25％から30％の間の部分にて、前記靴の全長方向と略垂直な方向に、幅を任意とする略帯状部分を構成するとともに、当該略帯状部分を前記蛍光色とは別色で塗色し又は別色の材若しくは蓄光材で構成すること、
を特徴とする靴。
【発明の詳細な説明】
【技術分野】
【０００１】
本発明は，階段の降段時の足の踏み外しを防ぎ、安全に降段できる靴に関する。
【背景技術】
【０００２】
電力会社においては、電力需要家における月々の消費電力量を把握のために、検針員を各営業拠点に配置し、需要家に設置した電力量計を検針させている。現在、高電圧以上で受電している一部の大口需要家を除き、大部分の需要家に設置した電力量計は検針員が検針しているが、需要家における電力量計の設置箇所は多様であり、検針員は検針のために屋内外の階段の昇降も頻繁にこなさなければならない。
【０００３】
一方、電力会社としては、社員に対してはもとより、当然、検針員に対しても、業務上の安全配慮をしているが、検針員の災害発生状況を鑑みるに、転倒やつまづき災害の発生が多く、特に、階段での災害が、最近、増加傾向にある。
【０００４】
また、階段での災害は、階段に高低差があることから、必然的に転落等を伴い、重傷に至る場合が多く、何らかの物的な対策が望まれていた。しかし、物的な対策を施すといっても、階段に対策を施すことは不可能であり、対策は検針員の身に着けるものに絞られるが、発明者は靴に着目して安全対策を施すこととした。
【０００５】
一方、靴への安全対策については、靴に発光機能を付け、夜間に後方から接近する車両等に注意喚起する先行技術はあるが（例えば、特許文献１及び特許文献２を参照）、階段の降段時に転倒等の安全対策として、靴を履く者自身からの視認性に着目した先行技術は無かった。
【先行技術文献】
【特許文献】
【０００６】
【特許文献１】特開平１０−３３７２０５号公報
【特許文献２】実開平７−１０２号公報
【発明の概要】
【発明が解決しようとする課題】
【０００７】
そのため、階段の降段時に、履く者に注意喚起する靴の開発が重要な課題となる。
【課題を解決するための手段】
【０００８】
そこで、発明者は、この課題を解決すべく、次の構成の靴を発明した。
つまり、靴全長の20％から35％の長さに相当する靴先のアッパー部分の全部又は一部を、蛍光色にて塗色し又は蛍光色の材若しくは蓄光材にて構成し、更に、前記蛍光色等としたアッパー部分において、靴先から靴全長の25％から30％の間の部分にて、靴の全長方向と略垂直な方向に、幅を任意とする略帯状部分を構成するとともに、当該略帯状部分を前記蛍光色とは別色で塗色し又は別色の材若しくは蓄光材で構成することを特徴とするものである。
【発明の効果】
【０００９】
本発明により、階段の降段時に、本発明に係る靴を履く者の視線が、靴先の蛍光色等を施した部分に集中し、かつ、蛍光色等とは別色の略帯状部分を階段の踏み面の先端に位置するように足運びすることで、踵を含む足の裏の大部分を踏み面に置くことができ、安定に且つ安全に降段することができる。
【図面の簡単な説明】
【００１０】
【図１】本発明に係る靴（一実施例）の外観図である。
【図２】蛍光色に塗色したアッパー部分と略帯状部分の位置を説明する図面である。
【図３】本発明に係る靴（一実施例）の略帯状部分を、階段の踏み面の先端に位置するようにした際の外観図である。
【図４】本発明に係る靴（一実施例）を適用した靴で階段を降段している場合の図面である。
【発明を実施するための形態】
【００１１】
以下、図面も参照しながら、本発明の実施形態について説明する。
なお、以下の実施形態は、本発明の具体例の一部であり、本発明の技術思想としての範囲を限定するものではない。
【００１２】
（実施例の説明）
図１は、本発明に係る靴１の構成を示すものである（例示しているのはスニーカーの場合である）。
靴１の先端（つま先）のアッパー部分２（このアッパー部分２の周りの補強材３を含めてもよい）を蛍光色に塗色する。この蛍光色は目立つ黄色などが好適である。図１では、先端のアッパー部分２の一部しか塗色していないが、勿論、全部を塗色してもよい。
以上では塗色で蛍光色としたが、靴１の構成材として、所要部分を蛍光色のものを用いてもよい（つまり、先端のアッパー部分２の部材を予め蛍光色として製造し、それを用いてもよい）。また、この部分を蓄光材で構成してもよい。
【００１３】
そして、この蛍光色に塗色した先端のアッパー部２にて、略帯状に蛍光色とは別色で塗色する。この略帯状部分４の色は、蛍光色と強いコントラストを生じさせるものであることが望ましい（例えば、蛍光色が黄色の場合には赤色にするなど）。また、これについても、前記先端のアッパー部２と同様に、靴１の構成部材としてもよい（構成部材を蓄光材としてもよい）。
【００１４】
ここで、蛍光色に塗色した先端のアッパー部分２と略帯状部分４の靴１の全体での位置を図２を基にして説明する。
前記先端のアッパー部分２は、靴先端の方の部分で靴全長の20％から35％の長さとする。前記略帯状部分４は、前記先端のアッパー部分２において、靴先から靴全長の25％から30％の間の部分にて、靴１の全長方向と略垂直な方向に塗色し、その幅は、前記の靴先から靴全長の25％から30％の間の蛍光色に塗色した部分に収まるようにする。
（発明の効果の説明）
【００１５】
階段の降段において、人間は、通常、自分の足元に視線を送る。そのため、本発明に係る靴１を履いた者は、靴１の外面で最も目立つ蛍光色に塗色した先端のアッパー部２に視線が向く。そして、図３に示すように、靴１を履いた足を階段の踏み面５に置くにあたって、前記略帯状部分４を階段の踏み面の先端６に重ねるように足運びするように意識が働く。
そして、図４に示すように、足の踵を含む大部分を踏み面５に置くことができ、安定に且つ安全に降段することができる。
【符号の説明】
【００１６】
１  靴
２  先端のアッパー部
４  略帯状部分
【図１】
2011120831.tif 000003
【図２】
2011120831.tif 000004
【図３】
2011120831.tif 000005
【図４】
2011120831.tif 000006
(57)【要約】      （修正有）【課題】バネ線の線径をより大にして長期間確実に燃焼が行える器具を実現する。【解決手段】バネ線3を筒状に巻いて、その下端には略ラッパ形部分２を設け、筒1の内側と挿入した線香の表面との間に所定の間隔を設けて、線香を確実に燃焼せしめることを得る。【選択図】図１
2011120856.tif 000002
【特許請求の範囲】
【請求項１】
直径０．５ｍｍ〜０．８ｍｍのバネ線３を、その直径の略３〜５倍の間隔を相互に保ってコイル状に巻き、筒１とし、その筒の内径を線香１１の直径の２〜５倍に定め、筒の下部に略ラッパ形部分２を設け、該略ラッパ形部分は、先細り状に、しかも線香１１が脱落せぬようにバネ線相互の間隔及び内径を窄め具合に巻いて、その高さを筒の高さの略０．２倍に形成し、バネ線の下端を支持金具４に取り付け、更に、筒上部のバネ線の上端を支持金具５に取り付けてなる線香燃焼器Ａの構造。
【請求項２】
請求項１記載の筒１を、下端に略ラッパ形部分を設けずに相互に隣接させて、その両端を略長方形の支持ケース７の側面に、その長辺に略４５度に交わるように取り付け、該長辺と平行に筒の上部に線香を置いて燃やすように設けた線香燃焼器Ｂの構造。
【発明の詳細な説明】
【技術分野】
【０００１】  本発明は、線香の燃焼を円滑に行わせるための器具に関する。
【背景技術】
【０００２】  従来の技術としては、略円筒形のコイルスプリングを使用したものがある。（特許文献１参照）
【先行技術文献】
【特許文献】
【０００３】
【特許文献１】  特願２００９−２２８４９６
【発明の概要】
【発明が解決しようとする課題】
【０００４】  上述した線香の燃焼器具では使用されているバネ線の線径が小であるために加熱による焼損が激しく長期に亙る使用が困難である欠点があった。【０００５】  本発明は、このような従来の構成が有していた問題を解決しようとするものであり、バネ線の線径をより大にして長期間確実に燃焼が行える器具を実現することを目的とするものである。
【課題を解決するための手段】
【０００６】  本発明は上記目的を達成するために、直径０．５ｍｍ〜０．８ｍｍのバネ線３を、その直径の略３〜５倍の間隔を相互に保ってコイル状に巻き、筒１とし、その筒の内径を線香１１の直径の２〜５倍に定め、筒の下部に略ラッパ形部分２を設け、該略ラッパ形部分は、先細り状に、しかも線香１１が脱落せぬようにバネ線相互の間隔及び内径を窄め具合に巻いて、その高さを筒の高さの略０．２倍に形成し、バネ線の下端を支持金具４に取り付け、更に、筒上部のバネ線の上端を支持金具５に取り付けてなる線香燃焼器Ａである。【０００７】  また、第２の解決手段は請求項１記載の筒１を下端に略ラッパ形部分を設けずに相互に隣接させて、その両端を略長方形の支持ケース７の側面に、その長辺に略４５度に交わるように取り付け、該長辺と平行に筒の上部に線香を置いて燃やすように設けた線香燃焼器Ｂである。
【発明の効果】
【０００８】  上述したように本発明の線香燃焼器は、バネ線の直径、バネ線相互の間隔が適宜に定められているので、燃焼時に線香の火玉の部分が安全な温度を保ちつつ、バネ線への火玉の熱放射、及び熱伝導が巧みに進められ、失火することなく、線香の最下端まで灰に期さしめることができる。【０００９】  更に、線香燃焼器Ａは、既存の線香立てに収納して使用しても良く、複数個組み合せて大型の燃焼器とすることができる。【００１０】  又、線香燃焼器Ｂに関しては、一時に相当量の線香を焚くこともでき、全て灰となるので周囲を清潔に保つことができる。
【図面の簡単な説明】
【００１１】
【図１】本発明の実施形態を示す線香燃焼器Ａの立体図
【図２】同線香燃焼器Ｂの立体図
【図３】同線香燃焼器Ａの部分縦断図
【図４】図３におけるａ−ａ線の断面図
【図５】図２におけるｂ−ｂ線の断面図
【発明を実施するための形態】
【００１２】  以下、本発明の実施の形態を図１〜図５に基づいて説明する。
【００１３】  図１においては、筒１の下端部に略ラッパ形部分２の先端が支持金具４に取り付けられ筒１の上端は支持金具５に取り付けられ、複数個の筒１が支持棒６に設けられている。
【００１４】  図２においては、筒１が隣接して支持ケース７の長辺に略４５度に交わって取り付けられている。
【００１５】  図３においては、筒１のバネ線３の上端及び下端が各々溝９に埋め込まれて設けられており、支持棒６は支持台８に取り付けられている。
【００１６】  図４においては、略ラッパ形部分２のバネ線３が先細りに巻かれて、その先端が溝９に取り付けられている。
【００１７】  図５においては、筒１が支持材１０に支えられて支持ケース７に取り付けられ、線香１１が筒１の上部に置かれている。
【符号の説明】
【００１８】    Ａ  線香燃焼器Ａ
Ｂ  線香燃焼器Ｂ
１  筒
２  略ラッパ形部分
３  バネ線
４  支持金具
５  支持金具
６  支持棒
７  支持ケース
８  支持台
９  溝
１０  支持材
１１  線香
１２  固定用ビス
【図１】
2011120856.tif 000003
【図２】
2011120856.tif 000004
【図３】
2011120856.tif 000005
【図４】
2011120856.tif 000006
【図５】
2011120856.tif 000007
(57)【要約】【課題】ＣＤ，文庫本から、Ｂ４サイズの寸法に合った本棚である。積み重ねた場合に、紐で結んで壁面より吊るす事が出来るため、地震に対して強い本棚を提供する。【解決手段】各本棚の縦横比率を、２：２、２：３、３：４で統一する。本棚の四隅にフックが有り、そこに紐を結んで各本棚を連結し、紐で壁面に固定すると、地震があっても倒れない。本棚全体が後ろに傾いている為、地震でも本が飛び出しにくい。【選択図】図２
2011120858.tif 000002
【特許請求の範囲】
【請求項１】
各本棚の外形寸法を縦横比、２：２、２：３、３：４に統一されていて、ＣＤ、文庫本から、Ｂ４サイズの本までをスペースに無駄なく収納できる本棚である。
【請求項２】
各本棚前面の四隅には、紐で結べるフックがあり、積み重ねた場合、紐で結んで本棚を固定する事が出来る、請求項１に記載の本棚である。
【発明の詳細な説明】
【技術分野】
【０００１】本発明は、ＣＤ、文庫本からＢ４サイズの本までを、ムダな空間なく収納出来て、積み重ねて紐で結び、壁面から吊るす事が出来る、本棚に関する物である。
【背景技術】
【０００２】従来の本棚は、大きなサイズの本が入るように作ってある為、奥行きが深く小さい本を入れると、縦、奥行き方向のスペースに、ムダな空間ができる。【０００３】その解決策として、大きな本は奥行きの深い本棚に入れて小さい本は、奥行きの浅い本棚に入れれば良い。
【発明の開示】
【発明が解決しようとする課題】
【０００４】大きさの異なる本が、ピッタリ入る本棚を積み重ねると、高さが不揃いになり、さらに地震があった場合、崩れる危険があり、中の本が飛び出すこともある。
【課題を解決するための手段】
【０００５】そこで本発明は、本棚の縦横比を２：２、２：３、３：４に決める事により、積み重ねた時に、高さが揃うようにした。【０００６】本立て前面の四隅に、紐で結べるフックを付けて、壁面から吊るすと、地震があっても倒れず、全体が後ろに傾いている為、中の本も飛び出しにくい。
【発明の効果】
【０００７】小さな本を入れた時にも、縦方向と奥行きのスペースの無駄がなくなり、加えて、とてもシンプルな方法で、地震対策が可能である。【０００８】本棚を移動する時も、箱ごとに分解出来るので簡単に移動出来て、組合せ方により、本棚の高さが揃う為、全体のバランスが取れている。
【産業上の利用可能性】
【０００９】現在持っている本だけを入れる本棚を購入し、本が増えれば、その増えた分だけ買い足して行けば良いので、最初から大きな本棚を買う必要がない。【００１０】本棚を置くスペースも、最小限で済ませることが出来る。
【図面の簡単な説明】
【図１】２：３の本棚を、縦にして２段（左側）と、横に３段（右側）積んだ図である。
【図２】２：３の本棚を、横に３段積んだものを、紐で結んで横から見た図である。
【符号の説明】１…Ａ４サイズの本棚
２…Ｂ５サイズの本棚
３…ＣＤ，文庫サイズの本棚
４…紐を掛けるフック
５…各本棚を結ぶ紐
【図１】
2011120858.tif 000003
【図２】
2011120858.tif 000004
(57)【要約】【課題】  本発明は、磨き具を四角柱にし、かつ、指で押さえるための凹状の面取り部を、両側に設け、さらに軽量にするため、面取り部と面取り部の間を貫通させ、ヤスリ部は平面のものと、湾曲したことを特徴とした、手、もしくは、足の爪を磨くための、爪磨きを提案する。【解決手段】  四角柱の磨き具（１）の両側に面取り部（２）を設け、四角柱の磨き具（５）の両側に面取り部（６）を設け、磨き具（１）の面取り部（２）より面取り部（２）へ貫通穴（３）を設け、磨き具（５）の面取り部（６）より面取り部（６）へ貫通穴（７）を設け、磨き具（１）の表部、および、裏面部へヤスリの溝を彫った部分（４）を設けたことを特徴とする爪磨き具。【選択図】図１
2011120852.tif 000002
【特許請求の範囲】
【請求項１】
四角柱の磨き具（１）の両側に面取り部（２）を設け、四角柱の磨き具（５）の両側に面取り部（６）を設け、磨き具（１）の面取り部（２）より面取り部（２）へ貫通穴（３）を設け、磨き具（５）の面取り部（６）より面取り部（６）へ貫通穴（７）を設け、磨き具（１）の表部、および、裏面部へヤスリの溝を彫った部分（４）を設けたことを特徴とする爪磨き具。
【発明の詳細な説明】
【技術分野】
【０００１】  本発明は、磨き具を四角柱にし、かつ、指で押さえるための凹状の面取り部を、両側に設け、さらに軽量にするため、面取り部と面取り部の間を貫通させ、ヤスリ部は平面のものと、湾曲したことを特徴とした、手、若しくは、足の爪を磨くための、爪磨きに関するものである。
【背景技術】
【０００２】  従来、爪を磨くものは、板状である。
【先行技術文献】
【０００３】
【特許文献１】  特開２００５−２７０３５０号公報
【発明の概要】
【発明が解決しようとする課題】
【０００４】  爪を磨く際に磨き具が板状のため、力が分散し、持つ手から外れてしまうことがあり、磨きにくかった。
本発明は、以上の問題点を解決するためのものである。
【問題を解決するための手段】
【０００５】（イ）四角柱の磨き具（１）の両側に面取り部（２）を設ける
（ロ）四角柱の磨き具（５）の両側に面取り部（６）を設ける
（ハ）磨き具（１）の面取り部（２）より面取り部（２）へ貫通穴（３）を設ける。
（二）磨き具（５）の面取り部（６）より面取り部（６）へ貫通穴（７）を設ける。
（ホ）磨き具（１）の表部および裏面部へヤスリの溝を彫った部分（４）を設ける。
（ヘ）磨き具（５）の表部および裏面部へヤスリの溝を彫った部分（８）を設ける。
以上のような構成よりなる爪磨き具。
【発明の効果】
【０００６】  従来の磨きにくさもちづらさを、本発明により可能にし、楽に爪を磨くことができる。
【図面の簡単な説明】
【０００７】
【図１】  本発明の斜視図である。
【図２】  本発明の斜視図である。
【本発明を実施するための形態】
【０００８】  以下、本発明の実施の形態を説明する。
（イ）四角柱の磨き具（１）の両側に面取り部（２）を設ける
（ロ）四角柱の磨き具（５）の両側に面取り部（６）を設ける
（ハ）磨き具（１）の面取り部（２）より面取り部（２）へ貫通穴（３）を設ける。
（二）磨き具（５）の面取り部（６）より面取り部（６）へ貫通穴（７）を設ける。
（ホ）磨き具（１）の表部および裏面部へヤスリの溝を彫った部分（４）を設ける。
（ヘ）磨き具（５）の表部および裏面部へヤスリの溝を彫った部分（８）を設ける。
本発明は、以上のような構造である。
本発明を使用するときは、磨き具（１）の面取り部（２）の両側部を、手の親指と人差し指で挟み、ヤスリ部（４）を爪先にあて、面取り部（２）と面取り部（２）との左右方向に摺り動かし磨くものである。
このとき、磨き具（１）に面取り部（２）があるため、指で挟むのに、力が入れ易く、安定して磨け、また、貫通穴の軽量化により、軽く持ち易い構造となった。
なお、磨き具（５）においても使用方法は同一である。
【符号の説明】
【０００９】    １  磨き具
２  面取り部
３  貫通穴
４  ヤスリ部
５  磨き具
６  面取り部
７  貫通穴
８  ヤスリ部
【図１】
2011120852.tif 000003
【図２】
2011120852.tif 000004